(57)【特許請求の範囲】
【請求項１】
モバイル端末が現在ユーザの、指紋情報、声紋情報、虹彩情報又は顔情報のうちの少なくとも前記声紋情報を含む生体認識情報を取得するステップと、
前記モバイル端末が前記現在ユーザの生体認識情報を用いて第１の所定ファイルをロックするステップと、を含み、
前記モバイル端末が前記現在ユーザの生体認識情報を取得するステップは、
前記モバイル端末が前記第１の所定ファイルを撮影すると同時に、前記現在ユーザの生体認識情報を採集するステップを含み、
前記モバイル端末が前記現在ユーザの生体認識情報を用いて、第１の所定ファイルをロックするステップは、
前記モバイル端末が撮影された前記第１の所定ファイルを前記モバイル端末のローカルに記憶するときに、前記現在ユーザの生体認識情報を用いて前記第１の所定ファイルをロックするステップを含み、
前記生体認識情報が声紋情報である場合、前記第１の所定ファイルを撮影すると同時に、前記現在ユーザの生体認識情報を採集するステップは、
前記モバイル端末内の撮影モジュールが起動すると、前記モバイル端末は音響制御シャッターオプションを出力するステップと、
前記現在ユーザによってタッチパネルを介して音響制御シャッターオプションがクリックされてから、音声信号を生じると、前記モバイル端末はマイクロホンを介して該音声信号を受信し、該音声信号を解析認識して第１の撮影コマンドを得て、写真又は映像である前記第１の所定ファイルを撮影するステップと、
前記モバイル端末は該音声信号を受信すると同時に、該音声信号の中から前記現在ユーザの前記声紋情報を抽出するステップと、を含む
ことを特徴とするモバイル端末によって実行されるファイルロック方法。
【請求項２】
前記モバイル端末が現在ユーザの生体認識情報を用いて、第１の所定ファイルをロックするステップは、
前記モバイル端末が既に保存されている前記第１の所定ファイルをロックすることを指示するための前記現在ユーザが入力したロックコマンドを受けるステップと、
前記モバイル端末が前記ロックコマンドに基づいて、前記現在ユーザの生体認識情報を用いて、第１の所定ファイルをロックするステップとを、含む
ことを特徴とする請求項１に記載のファイルロック方法。
【請求項３】
前記第１の所定ファイルをロックした後、前記第１の所定ファイルはロック状態になり、
前記ロック状態は、隠し不可視状態、修正禁止状態、削除禁止状態又は閲覧禁止状態を含む
ことを特徴とする請求項１に記載のファイルロック方法。
【請求項４】
前記モバイル端末がロック状態のファイルである第２の所定ファイル、又は、ロック状態のファイルを含む所定フォルダーをレビューすることを指示するためのユーザが入力したファイルレビューコマンドを受けるステップと、
前記モバイル端末が前記ファイルレビューコマンドを入力した前記ユーザの前記生体認識情報を取得するステップと、
前記モバイル端末が前記ファイルレビューコマンドを入力した前記ユーザの前記生体認識情報が、前記ロック状態のファイルをロックする際に用いられる生体認識情報と同一であるか否かを判定するステップと、
前記モバイル端末が前記ファイルレビューコマンドを入力した前記ユーザの前記生体認識情報が、前記ロック状態のファイルをロックする際に用いられる生体認識情報と同一であると判定される場合、前記ロック状態のファイルを表示するステップと、を更に含む
ことを特徴とする請求項１に記載のファイルロック方法。
【請求項５】
前記モバイル端末がロック状態のファイルである第２の所定ファイル、又は、ロック状態のファイルを含む所定フォルダーのロック状態を解除することを指示するためのユーザが入力したファイルロック解除コマンドを受けるステップと、
前記モバイル端末が前記ファイルロック解除コマンドを入力した前記ユーザの前記生体認識情報を取得するステップと、
前記モバイル端末が前記ファイルロック解除コマンドを入力した前記ユーザの前記生体認識情報が、前記ファイルロック解除コマンドに対応するロック状態のファイルをロックする際に用いられる生体認識情報と同一であるか否かを判定するステップと、
前記モバイル端末が前記ファイルロック解除コマンドを入力した前記ユーザの前記生体認識情報が、前記ロック状態のファイルをロックする際に用いられる生体認識情報と同一であると判定される場合、前記ロック状態のファイルをロック解除するステップと、を含む
ことを特徴とする請求項１に記載のファイルロック方法。
【請求項６】
指紋情報、声紋情報、虹彩情報又は顔情報のうちの少なくとも前記声紋情報を含む現在ユーザの生体認識情報を取得する第１の取得モジュールと、
前記第１の取得モジュールが取得した前記現在ユーザの生体認識情報を用いて、第１の所定ファイルをロックするロックモジュールと、を備え、
前記第１の取得モジュールは、
前記第１の所定ファイルを撮影すると同時に、前記現在ユーザの生体認識情報を採集する採集サブモジュールを備え、
前記ロックモジュールは、
撮影された前記第１の所定ファイルを自装置のローカルに記憶する場合、前記現在ユーザの生体認識情報を用いて前記第１の所定ファイルをロックする第１のロック手段を備え、
前記生体認識情報が声紋情報である場合、前記採集サブモジュールは、
モバイル端末内の撮影モジュールが起動すると、音響制御シャッターオプションを出力し、マイクロホンを介して前記現在ユーザによってタッチパネルを介して音響制御シャッターオプションがクリックされてから生じる音声信号を受信する第２の採集手段と、
前記音声信号を解析認識して第１の撮影コマンドを得て、写真又は映像である前記第１の所定ファイルを撮影する認識手段と、
該音声信号を受信すると同時に、該音声信号の中から前記現在ユーザの前記声紋情報を抽出する抽出手段と、を備える
ことを特徴とするファイルロック装置。
【請求項７】
前記ロックモジュールは、
既に保存されている前記第１の所定ファイルをロックすることを指示するための前記現在ユーザが入力したロックコマンドを受ける第３の受信手段と、
前記ロックコマンドに基づいて前記現在ユーザの生体認識情報を用いて第１の所定ファイルをロックする第２のロック手段と、を備える
ことを特徴とする請求項６に記載のファイルロック装置。
【請求項８】
前記第１の所定ファイルをロックした後、前記第１の所定ファイルはロック状態になり、
前記ロック状態は、隠し不可視状態、修正禁止状態、削除禁止状態又は閲覧禁止状態を含む
ことを特徴とする請求項６に記載のファイルロック装置。
【請求項９】
ロック状態のファイルである第２の所定ファイル、又は、ロック状態のファイルを含む所定フォルダーをレビューすることを指示するためのユーザが入力したファイルレビューコマンドを受ける第１の受信モジュールと、
前記ファイルレビューコマンドを入力した前記ユーザの生体認識情報を取得する第２の取得モジュールと、
前記第２の取得モジュールの取得した前記生体認識情報が、前記ロック状態のファイルをロックする際に用いられる生体認識情報と同一であるか否かを判定する第１の判定モジュールと、
前記第２の取得モジュールの取得した前記生体認識情報が、前記ロック状態のファイルをロックする際に用いられる生体認識情報と同一であると判定される場合、前記ロック状態のファイルを表示する表示モジュールと、を更に備える
ことを特徴とする請求項６に記載のファイルロック装置。
【請求項１０】
ロック状態のファイルである第２の所定ファイル、又は、ロック状態のファイルを含む所定フォルダーのロック状態を解除することを指示するためのユーザが入力したファイルロック解除コマンドを受ける第２の受信モジュールと、
前記ファイルロック解除コマンドを入力した前記ユーザの前記生体認識情報を取得する第３の取得モジュールと、
前記第３の取得モジュールの取得した前記生体認識情報が、前記ファイルロック解除コマンドに対応するロック状態のファイルをロックする際に用いられる生体認識情報と同一であるか否かを判定する第２の判定モジュールと、
前記第３の取得モジュールの取得した前記生体認識情報が、前記ロック状態のファイルをロックする際に用いられる生体認識情報と同一であると判定される場合、前記ロック状態のファイルをロック解除するロック解除モジュールと、を更に備える
ことを特徴とする請求項６に記載のファイルロック装置。
【請求項１１】
プロセッサと、
プロセッサにより実行可能なコマンドを記憶するメモリと、を含み、
前記プロセッサは、
指紋情報、声紋情報、虹彩情報又は顔情報のうちの少なくとも前記声紋情報を含む現在ユーザの生体認識情報を取得し、
前記現在ユーザの生体認識情報を用いて第１の所定ファイルをロックし、
前記現在ユーザの生体認識情報を取得することは、
モバイル端末が前記第１の所定ファイルを撮影すると同時に、前記現在ユーザの生体認識情報を採集することを含み、
前記現在ユーザの生体認識情報を用いて、第１の所定ファイルをロックすることは、
前記モバイル端末が撮影された前記第１の所定ファイルを前記メモリに記憶するときに、前記現在ユーザの生体認識情報を用いて前記第１の所定ファイルをロックすることを含み、
前記生体認識情報が声紋情報である場合、前記第１の所定ファイルを撮影すると同時に、前記現在ユーザの生体認識情報を採集することは、
前記モバイル端末内の撮影モジュールが起動すると、前記モバイル端末は音響制御シャッターオプションを出力することと、
前記現在ユーザによってタッチパネルを介して音響制御シャッターオプションがクリックされてから、音声信号を生じると、前記モバイル端末はマイクロホンを介して該音声信号を受信し、該音声信号を解析認識して第１の撮影コマンドを得て、写真又は映像である前記第１の所定ファイルを撮影することと、
前記モバイル端末は該音声信号を受信すると同時に、該音声信号の中から前記現在ユーザの前記声紋情報を抽出することと、を含む
ことを特徴とするファイルロック装置。
【請求項１２】
プロセッサに実行されることにより、請求項１から請求項５のいずれかに記載のファイルロック方法を実現することを特徴とするプログラム。
【請求項１３】
請求項１２に記載のプログラムが記録された記録媒体。
【発明の詳細な説明】
【技術分野】
【０００１】
本願は、出願番号がＣＮ２０１４１０２９９２３２．１であって、出願日が２０１４年６月２６日である中国特許出願に基づいて優先権を主張する。該中国特許出願のすべての内容が本願に援用される。
本発明は電子装置分野に関し、特に、ファイルロック方法、ファイルロック装置、プログラム、及び記録媒体に関する。
【背景技術】
【０００２】
現在、市場における個人用モバイル端末、例えば、携帯電話は一般にプライバシーの保護を要求しており、ユーザは携帯電話をロックすることによりユーザのプライバシーを保護する。現在、よく使われているロック方式として、デジタル暗号、数独、指紋認識等が挙げられる。ここで、指紋認識技術はユーザの便利を図り、ユーザの安全及びプライバシーを保護する信頼度は比較的高い。しかしながら、ユーザの携帯電話はロック解除状態下で他人に取られる恐れがあり、この場合、ユーザのプライバシーは保障されない。
【発明の概要】
【０００３】
従来技術における問題点を解消するために、本発明は、ファイルロック方法、ファイルロック装置、プログラム、及び記録媒体を提供する。
【０００４】
本開示の実施例の第１の局面によれば、ファイルロック方法を提供し、前記方法は、
現在ユーザの、指紋情報、声紋情報、虹彩情報又は顔情報を含む生体認識情報を取得するステップと、
前記現在ユーザの生体認識情報を用いて第１の所定ファイルをロックするステップと、を含む。
【０００５】
本開示の実施例の第１の局面の一実施の形態において、前記現在ユーザの生体認識情報を取得するステップは、
前記第１の所定ファイルを撮影するときに、前記現在ユーザの生体認識情報を採集するステップを含む。
【０００６】
前記生体認識情報が指紋情報である場合、前記第１の所定ファイルを撮影するときに、前記現在ユーザの生体認識情報を採集するステップは、
タッチパネルを介して前記現在ユーザが入力した第１の撮影コマンドを受けるとともに、前記タッチパネルを介して前記第１の所定ファイルを撮影することを指示するための前記第１の撮影コマンドを前記現在ユーザが入力するときの指紋情報を採集するステップを含むことが好ましい。
【０００７】
前記生体認識情報が声紋情報である場合、前記第１の所定ファイルを撮影するときに、前記現在ユーザの生体認識情報を採集するステップは、
マイクロホンを介して前記現在ユーザの音声信号を採集するステップと、
前記音声信号を認識して、前記現在ユーザが入力した、前記第１の所定ファイルを撮影する第１の撮影コマンドを受けるステップと、
前記音声信号から前記現在ユーザの声紋情報を抽出するステップと、を含むことが好ましい。
【０００８】
前記生体認識情報が顔情報又は虹彩情報である場合、前記第１の所定ファイルを撮影するときに、前記現在ユーザの生体認識情報を採集するステップは、
モバイル端末のリアーカメラを介して前記第１の所定ファイルを撮影することを指示するための前記現在ユーザが入力した第２の撮影コマンドを受けるステップと、
前記モバイル端末のフロントカメラを介して、前記現在ユーザの顔情報又は虹彩情報を取得するステップと、を含むことが好ましい。
【０００９】
さらに、前記現在ユーザの生体認識情報を用いて、第１の所定ファイルをロックするステップは、
撮影された前記第１の所定ファイルを記憶するときに、前記現在ユーザの生体認識情報を用いて前記第１の所定ファイルをロックするステップを含む。
【００１０】
本開示の実施例の他の実施の形態において、前記現在ユーザの生体認識情報を用いて、第１の所定ファイルをロックするステップは、
既に保存されている前記第１の所定ファイルをロックすることを指示するための前記現在ユーザが入力したロックコマンドを受けるステップと、
前記ロックコマンドに基づいて、前記現在ユーザの生体認識情報を用いて、第１の所定ファイルをロックするステップとを、含む。
【００１１】
本開示の実施例のもう１つの実施の形態において、前記第１の所定ファイルをロックした後、前記第１の所定ファイルはロック状態になり、前記ロック状態は隠し不可視状態、修正禁止状態、削除禁止状態又は閲覧禁止状態を含む。
【００１２】
本開示のもう１つの実施の形態において、前記方法は、
ロック状態のファイルである第２の所定ファイル、又は、ロック状態のファイルを含む所定フォルダーをレビューすることを指示するためのユーザが入力したファイルレビューコマンドを受けるステップと、
前記ファイルレビューコマンドを入力した前記ユーザの前記生体認識情報を取得するステップと、
前記ファイルレビューコマンドを入力した前記ユーザの前記生体認識情報が、前記ロック状態のファイルをロックする際に用いられる生体認識情報と同一であるか否かを判定するステップと、
前記ファイルレビューコマンドを入力した前記ユーザの前記生体認識情報が、前記ロック状態のファイルをロックする際に用いられる生体認識情報と同一であると判定される場合、前記ロック状態のファイルを表示するステップと、を含む。
【００１３】
本開示の実施例の更になるもう１つの実施例において、前記方法はさらに、
ロック状態のファイルである第２の所定ファイル、又は、ロック状態のファイルを含む所定フォルダーのロック状態を解除することを指示するためのユーザが入力したファイルロック解除コマンドを受けるステップと、
前記ファイルロック解除コマンドを入力した前記ユーザの前記生体認識情報を取得するステップと、
前記ファイルロック解除コマンドを入力した前記ユーザの前記生体認識情報が、前記ファイルロック解除コマンドに対応するロック状態のファイルをロックする際に用いられる生体認識情報と同一であるか否かを判定するステップと、
前記ファイルロック解除コマンドを入力した前記ユーザの前記生体認識情報が、前記ロック状態のファイルをロックする際に用いられる生体認識情報と同一であると判定される場合、前記ロック状態のファイルをロック解除するステップと、を含む。
【００１４】
本開示の実施例の第２の局面によれば、ファイルロック装置を提供し、前記装置は、
指紋情報、声紋情報、虹彩情報又は顔情報を含む現在ユーザの生体認識情報を取得する第１の取得モジュールと、
前記第１の取得モジュールが取得した前記現在ユーザの生体認識情報を用いて、第１の所定ファイルをロックするためのロックモジュールと、を備える。
【００１５】
本開示の実施例の第２の局面の一実施の形態において、前記第１の取得モジュールは、
前記第１の所定ファイルを撮影するとき、前記現在ユーザの生体認識情報を採集するための採集サブモジュールを備える。
【００１６】
前記生体認識情報が指紋情報である場合、前記採集サブモジュールは、
タッチパネルを介して前記第１の所定ファイルを撮影することを指示するための前記現在ユーザが入力した第１の撮影コマンドを受ける第１の受信手段と、
前記タッチパネルを介して、前記現在ユーザが前記第１の撮影コマンドを入力したときの指紋情報を採集する第１の採集手段と、を含むことが好ましい。
【００１７】
前記生体認識情報が声紋情報である場合、前記採集サブモジュールは、
マイクロホンを介して前記現在ユーザの音声信号を採集する第２の採集手段と、
前記音声信号を認識し、前記第１の所定ファイルを撮影することを指示するための、前記現在ユーザが入力した第１の撮影コマンドを得る認識手段と、
前記音声信号から前記現在ユーザの声紋情報を抽出する抽出手段と、を含むことが好ましい。
【００１８】
前記生体認識情報が顔情報又は虹彩情報である場合、前記採集サブモジュールは、
モバイル端末のリアーカメラを介して前記第１の所定ファイルを撮影することを指示するための、前記現在ユーザが入力した第２の撮影コマンドを受ける第２の受信手段と、
前記モバイル端末のフロントカメラを介して前記現在ユーザの顔情報又は虹彩情報を取得する第２の取得手段と、を備えることが好ましい。
【００１９】
さらに、前記ロックモジュールは、
撮影された前記第１の所定ファイルを記憶する場合、前記現在ユーザの生体認識情報を用いて前記第１の所定ファイルをロックする第１のロック手段を含むことが可能である。
【００２０】
本開示の実施例の第２の局面の他の実施の形態において、前記ロックモジュールは、
既に保存されている前記第１の所定ファイルをロックすることを指示するための、前記現在ユーザが入力したロックコマンドを受ける第３の受信手段と、
前記ロックコマンドに基づいて前記現在ユーザの生体認識情報を用いて第１の所定ファイルをロックする第２のロック手段と、を備える。
【００２１】
本開示の実施例の第２の局面の他の実施の形態において、前記第１の所定ファイルをロックした後、前記第１の所定ファイルはロック状態になり、前記ロック状態は、隠し不可視状態、修正禁止状態、削除禁止状態又は閲覧禁止状態を含む。
【００２２】
本開示の実施例の第２の局面のもう１つの実施の形態において、前記装置はさらに、
ロック状態のファイルである第２の所定ファイル、又は、ロック状態のファイルを含む所定フォルダーをレビューすることを指示するための、ユーザが入力したファイルレビューコマンドを受ける第１の受信モジュールと、
前記ファイルレビューコマンドを入力した前記ユーザの生体認識情報を取得する第２の取得モジュールと、
前記第２の取得モジュールの取得した前記生体認識情報が、前記ロック状態のファイルをロックする際に用いられる生体認識情報と同一であるか否かを判定する第１の判定モジュールと、
前記第２の取得モジュールの取得した前記生体認識情報が、前記ロック状態のファイルをロックする際に用いられる生体認識情報と同一であると判定される場合、前記ロック状態のファイルを表示する表示モジュールと、を備える。
【００２３】
本開示の実施例の第２の局面のもう１つの実施の形態において、前記装置はさらに、
ロック状態のファイルである第２の所定ファイル、又は、ロック状態のファイルを含む所定フォルダーのロック状態を解除することを指示するためのユーザが入力したファイルロック解除コマンドを受ける第２の受信モジュールと、
前記ファイルロック解除コマンドを入力した前記ユーザの前記生体認識情報を取得する第３の取得モジュールと、
前記第３の取得モジュールの取得した前記生体認識情報が、前記ファイルロック解除コマンドに対応するロック状態のファイルをロックする際に用いられる生体認識情報と同一であるか否かを判定する第２の判定モジュールと、
前記第３の取得モジュールの取得した前記生体認識情報が、前記ロック状態のファイルをロックする際に用いられる生体認識情報と同一であると判定される場合、前記ロック状態のファイルをロック解除するロック解除モジュールと、を備える。
【００２４】
本開示の実施例の第３の局面によれば、ファイルロック装置を提供した。該ファイルロック装置は、
プロセッサと、
プロセッサにより実行可能なコマンドを記憶するメモリと、を含み、
前記プロセッサは、
指紋情報、声紋情報、虹彩情報又は顔情報を含む現在ユーザの生体認識情報を取得し、
前記現在ユーザの生体認識情報を用いて第１の所定ファイルをロックする。
本開示の実施例の第４の局面によれば、プロセッサに実行されることにより、前記のファイルロック方法を実現するプログラムを提供する。
本発明の実施例の第５の局面によれば、前記のプログラムが記録された記録媒体を提供する。
【００２５】
本発明の実施例で提供される技術的解決策は以下の有益な効果を含む。
本開示の実施例において、ユーザの生体認識情報を用いて所定ファイルをロックすることによって、現在ユーザ以外のユーザはロックされた所定ファイルに対する操作、例えば、レビュー、修正等を行うことができない。これにより、効果的に現在ユーザのプライバシーを保護でき、ユーザ体験を向上できる。且つ、ユーザは必要に応じてファイルを選択してロックを行うことができ、使用し易い。
【００２６】
以上の一般的な記述及び以下の詳細な記述は、例示のものに過ぎず、本開示を限定するものではないと理解すべきである。
【図面の簡単な説明】
【００２７】
ここでの図面は、本明細書の一部として、本発明に適切な実施例を示し、明細書と合わせて本発明の原理を解釈する。
【図１】例示的な実施例におけるファイルロック方法を示すフローチャートである。
【図２】例示的な実施例におけるファイルロック方法を示すフローチャートである。
【図２ａ】モバイル端末が第１の撮影シャッターオプションを出力するときのインターフェースを模式的に示す図である。
【図２ｂ】モバイル端末が出力したロック状態のファイルのインターフェースを模式的に示す図である。
【図２ｃ】指紋認識撮影機能が作動しているときのモバイル端末のインターフェースを模式的に示す図である。
【図２ｄ】指紋認識撮影機能が停止したときのモバイル端末のインターフェースを模式的に示す図である。
【図３】例示的な実施例におけるファイルロック方法を示すフローチャートである。
【図３ａ】モバイル端末が出力したコピーオプション、ロックオプションのインターフェースを模式的に示す図である。
【図４】例示的な実施例におけるファイルロック方法を示すフローチャートである。
【図４ａ】図４におけるステップＳ４０１を示す詳細なフローチャートである。
【図４ｂ】モバイル端末が音響制御シャッターオプションを出力するときのインターフェースを模式的に示す図である。
【図５】例示的な実施例におけるファイルロック方法を示すフローチャートである。
【図５ａ】図５におけるステップＳ５０１を示す詳細なフローチャートである。
【図５ｂ】モバイル端末が第３の撮影シャッターオプションを出力するときのインターフェースを模式的に示す図である。
【図６】例示的な実施例におけるファイルロック装置を示すブロック図である。
【図７】例示的な実施例におけるファイルロック装置を示すブロック図である。
【図８】例示的な実施例におけるファイルロック装置を示すブロック図である。
【図９】例示的な実施例におけるファイルロック装置を示すブロック図である。
【図１０】例示的な実施例におけるファイルロック装置を示すブロック図である。
【図１１】例示的な実施例におけるファイルロック装置を示すブロック図である。
【図１２】例示的な実施例におけるファイルロック装置を示すブロック図である。
【発明を実施するための形態】
【００２８】
ここで、図面に示された例示的な実施例を詳細に説明する。以下の内容において、図面を言及するとき、特に説明しない限り、異なる図面における同じ数字が同一または同等の要素を示す。以下の例示的な実施例に記載の実施の形態は、本発明と一致するあらゆる実施の形態を代表するわけではない。逆に、それらは、添付された特許請求の範囲に詳細に記載される、本発明の一部の局面と一致する装置及び方法の例にすぎない。
【００２９】
生体認識技術は、コンピュータを介して、光学、音響学、バイオセンサー及び生物統計学原理等のハイテク手段と緊密に結合して、人体の固有生理特性を用いて、個人認証を行う技術である。現在、指紋認識、虹彩認証、顔認識、掌紋認証、声紋認識、静脈認識、脳波認識等の様々異なる認識方法は既にある。本開示に係るファイルロック方法及びファイルロック装置は何れも生体認識技術を用いて第１の所定ファイルをロックする機能を果たすことによって、ユーザのプライバシーを保護する。
【００３０】
図１は例示的な実施例におけるファイルロック方法を示すフローチャートである。該ファイルロック方法は端末に適用される。図１を参照して、該方法は以下のステップを含む。
【００３１】
ステップＳ１０１において、現在ユーザの生体認識情報を取得する。
【００３２】
該生体認識情報は指紋情報、声紋情報、虹彩情報又は顔情報を含んで良い。
【００３３】
ステップＳ１０２において、現在ユーザの生体認識情報を用いて第１の所定ファイルをロックする。
【００３４】
該第１の所定ファイルは写真又は映像であってよいし、他のタイプのファイル、例えば、テキスト情報等であって良い。本開示はこれについて限定しない。
【００３５】
実際的な応用状況において、現在ユーザ（例えば、モバイル端末の所有者）は、モバイル端末内のあるファイル、例えば、写真又は映像等について、本人しか閲覧できず、その他のユーザのいずれも閲覧できないように要求している。したがって、現在ユーザは写真又は映像等の第１の所定ファイルをロックすることによって、現在ユーザのプライバシーを保護する。生体認識情報は唯一性を有するため、本実施例に係るファイルロック方法は効果的に第１の所定ファイルをロックすることによって、現在ユーザのプライバシーを保護することができる。
【００３６】
本開示の実施例において、ユーザの生体認識情報を用いて所定ファイルをロックすることによって、現在ユーザ以外のユーザはロックされた所定ファイルに対する操作、例えば、閲覧、修正等を行うことができない。これにより、効果的に現在ユーザのプライバシーを保護でき、ユーザ体験（カスタマ・エクスペリエンス：Ｕｓｅｒ  Ｅｘｐｅｒｉｅｎｃｅ）を向上できる。且つ、ユーザは必要に応じてファイルを選択してロックを行うことができ、使用し易い。
【００３７】
図２は例示的な実施例におけるファイルロック方法を示すフローチャートである。図２に係る実施例において、生体認識情報として指紋情報を用い、且つ、第１の所定ファイルが撮影し得ようとするファイルであることを例として、本開示に係る実施例を詳細に説明する。図２を参照して、該ファイルロック方法は端末に適用され、以下のステップを含む。
【００３８】
ステップＳ２０１において、第１の所定ファイルを撮影するときに、現在ユーザの指紋情報を採集する。
【００３９】
本実施例の一実施の形態において、該ステップＳ２０１はさらに以下を含む。
【００４０】
タッチパネルを介して現在ユーザが入力した第１の撮影コマンドを受けると共に、タッチパネルを介して第１の所定ファイルを撮影することを指示するための第１の撮影コマンドを現在ユーザが入力するときの指紋情報を採集する。ここで、該第１の所定ファイルは写真又は映像であってもよい。
【００４１】
図２ａは該ステップＳ２０１の実際的な応用状況を示す。図２ａに示すように、モバイル端末内の撮影モジュールが起動すると、モバイル端末は第１の撮影シャッターオプション１を出力する。ここで、図２ａ〜２ｂにおいて、モバイル端末における空白領域は画像撮影領域であり、ここでは省略されている。ユーザはタッチパネルを介して該第１の撮影シャッターオプション１をクリックすると、モバイル端末は現在ユーザが入力した第１の撮影コマンドを受けて、写真又は映像を撮影する。これと同時に、現在ユーザがタッチパネルを介して該第１の撮影シャッターオプション１をクリックすると、モバイル端末は同時に現在ユーザの指紋情報を採集する。
【００４２】
ここに、次のことを説明しておく：図２ａに示す実施の形態において、ユーザの第１の撮影コマンドを受けることと、ユーザの指紋情報を採集することとが、同時に行なわれることによって、ユーザの操作ステップを簡単化し、ユーザの時間を節約することができる。しかしながら、ステップＳ２０１の他の実施の形態において、モバイル端末は、ユーザが入力した第１の撮影コマンドを受けてから指紋採集オプションを出力し、該指紋採集オプションによってユーザの指紋情報を取得してもよい。或いは、ユーザモバイル端末は、撮影モジュールが起動するときに指紋採集オプションを出力し、指紋採集オプションでユーザの指紋を採集した後、ユーザが第１の撮影コマンドを入力するための第１の撮影シャッターオプション１を出力してもよい。
【００４３】
現在ユーザの指紋情報が採集された後、モバイル端末に記憶されることによって、ファイルをレビュー・閲覧する、又はロック解除するときの照合に用いられる（後続のステップＳ２０３〜Ｓ２１０を参照）。
【００４４】
ステップＳ２０２において、撮影された第１の所定ファイルを記憶する場合、現在ユーザの指紋情報を用いて第１の所定ファイルをロックする。
【００４５】
実際的に端末に応用されている状況において、現在ユーザはタッチパネルにおける第１の撮影シャッターオプション１をクリックすることによって、第１の撮影コマンドを出す。このとき、タッチパネルは第１の撮影コマンドを受けると同時に、現在ユーザの指紋情報を取得する。写真の撮影又は映像の制作が終了して、写真又は映像を記憶する場合、現在ユーザの指紋情報を用いて写真又は映像をロックする。第１の所定ファイルをロックした後、該第１の所定ファイルがロック状態になる。ロック状態は、隠し不可視状態、修正禁止状態、削除禁止状態又は閲覧禁止状態を含んでもよい。具体的にはロック状態がどの操作を制限するかは、モバイル端末のシステムデフォルトであって良いし、ユーザにより設定されてよい。
【００４６】
ステップＳ２０３において、ユーザが入力したファイルレビューコマンドを受ける。
【００４７】
該ファイルレビューコマンドは第２の所定ファイル又は所定フォルダーをレビューすることを指示するために用いられ、該第２の所定ファイルはロック状態のファイルであり、前記ステップＳ２０１〜Ｓ２０２が実行されて得られたファイル（即ち、第１の所定ファイル）であって良い。該所定フォルダーは、ロック状態のファイル、例えば、前記ステップＳ２０１〜Ｓ２０２が実行されて得られたファイル（即ち、第１の所定ファイル）を含むフォルダーである。
【００４８】
例えば、該ファイルレビューコマンドはフォルダー閲覧コマンドであって良い。該ファイルレビューコマンドはタッチパネルを介して受けられる。
【００４９】
本実施例の一実施の形態において、ロック状態は閲覧禁止状態である。
【００５０】
ステップＳ２０４において、ファイルレビューコマンドを入力したユーザの指紋情報を取得する。
【００５１】
容易に分かるように、該ステップＳ２０４は、ユーザがファイルレビューコマンドを入力すると同時に、タッチパネルを介して行なわれてよい。ユーザがファイルレビューコマンドを入力するときに、ユーザの指紋を採集するための指紋採集オプションを出力してもよい。
【００５２】
ステップＳ２０５において、ファイルレビューコマンドを出力したユーザの指紋情報が、第２の所定ファイルをロックする際に用いられる指紋情報と同一か否かを判定する。
【００５３】
ステップＳ２０６において、ファイルレビューコマンドを出力したユーザの指紋情報が、第２の所定ファイルをロックする際に用いられる指紋情報と同一であると判定される場合、ロック状態のファイルを表示する。
【００５４】
ここで、ロック状態のファイルを表示することは、即ち、ファイルレビューコマンドを出力したユーザの指紋情報でロックされたファイルを表示することである。
【００５５】
ファイルレビューコマンドを出力したユーザの指紋情報が、第２の所定ファイルをロックする際に用いられる指紋情報と同一ではないと判定される場合、ロック状態のファイルの内容を表示しないことは、理解されるべきである。
【００５６】
実際的に、ロック状態が閲覧禁止状態である場合、図２ｂに示すように、閲覧禁止状態にある写真は空白に表示され（他の実施の形態において、所定識別子で表示されてもよい）、他のユーザは写真又は映像の内容を閲覧できない。ロック状態が隠し不可視状態である場合、モバイル端末は該写真の何らの情報も表示しなく（前記空白及び所定識別子を含む）、写真を完全に隠す。
【００５７】
本開示の実施例において、ユーザが生体認識情報でファイルをロックする機能を起動させるか否かを決めるための機能オプションスイッチは設置されてよいということは理解されるべきである。図２ｃに示すように、生体認識撮影機能のサブメニューである指紋認識撮影機能をオンにする場合、本実施例に係る方法に従い実行する。図２ｄに示すように、指紋認識撮影機能をオフにする場合、一般のモードで写真又は映像を撮影する（即ち、ユーザの指紋を採集しなく、撮影された写真及び映像をそのまま設定の位置に記憶する）。
【００５８】
ステップＳ２０７において、ユーザが入力したファイルロック解除コマンドを受ける。
【００５９】
該ファイルロック解除コマンドは、第２の所定ファイル又は所定フォルダーのロック状態を解除することを指示するために用いられ、第２の所定ファイルがロック状態のファイルであり、前記ステップＳ２０１〜Ｓ２０２が実行されて得られたファイル（即ち、第１の所定ファイル）であって良い。該所定フォルダーは、ロック状態のファイル、例えば、前記ステップＳ２０１〜Ｓ２０２が実行されて得られたファイル（即ち、第１の所定ファイル）を含む。
【００６０】
ステップＳ２０８において、ファイルロック解除コマンドを入力したユーザの指紋情報を取得する。
【００６１】
ステップＳ２０９において、ファイルロック解除コマンドを入力したユーザの指紋情報が、ファイルロック解除コマンドに対応するロック状態のファイルをロックする際に用いられる指紋情報と同一であるか否かを判定する。
【００６２】
ステップＳ２１０において、ファイルロック解除コマンドを入力したユーザの指紋情報が、ロック状態のファイルをロックする際に用いられる指紋情報と同一であると判定される場合、ロック状態のファイルをロック解除する。
【００６３】
容易に分かるように、ファイルロック解除コマンドを入力したユーザの指紋情報が、ロック状態のファイルをロックする際に用いられる指紋情報と同一ではないと判定される場合、ロック解除操作を実行しない。これとともに、案内情報、例えば、指紋情報不一致等を出力してもよい。
【００６４】
ロック状態のファイル、例えば、ロック状態にある写真又は映像をロック解除した後、該写真又は映像は公開状態になる。他のユーザはクリックして写真又は映像の管理フォルダーに入ると、指紋情報の検証を必要とせずに、写真又は映像を閲覧できる。
【００６５】
ここに次のことを説明しておく：前記ステップＳ２０１〜Ｓ２０２とステップＳ２０３〜Ｓ２０６、ステップＳ２０７〜Ｓ２１０の実行順序は決まったものではない。
【００６６】
本開示の実施例において、ユーザの生体認識情報を用いて所定ファイルをロックすることによって、現在ユーザ以外のユーザはロックされた所定ファイルに対する操作、例えば、レビュー、修正等を行うことができない。これにより、効果的に現在ユーザのプライバシーを保護でき、ユーザ体験を向上できる。且つ、ユーザは必要に応じてファイルを選択してロックを行うことができ、使用し易い。なお、本開示の実施例において、第２の所定ファイル又は所定フォルダーをレビュー・閲覧する方法、及び第２の所定ファイル又は所定フォルダーをロック解除する方法は提供した。これにより、該ファイルロック方法の付加機能がより完備され、ユーザ体験を向上できる。
【００６７】
図３は例示的な実施例におけるファイルロック方法を示すフローチャートである。図２に示す実施例において、第１の所定ファイルが撮影し得ようとするファイルである場合のロック方法を詳しく説明した。容易に分かるように、該第１の所定ファイルは、モバイル端末に既に保存されているファイルであって良い。以下、図３を参照して、既に保存されている第１の所定ファイルのロック方法を説明する。該ファイルロック方法は端末に適用されている。図３に示すように、該方法は以下のステップを含む。
【００６８】
ステップＳ３０１において、既に保存されている第１の所定ファイルをロックすることを指示するための現在ユーザが入力したロックコマンドを受ける。
【００６９】
実際的な応用状況において、該ロックコマンドは長押しコマンドであって良い。モバイル端末は、ファイルの対応する領域に対するタッチ時間を検出することによって、ロックコマンドを受けたか否かを判定し、該ロックコマンドを受けたと判定される場合、該ロックコマンドの対応する第１の所定ファイルをロックする。
【００７０】
ユーザがモバイル端末に既に保存されているファイルを閲覧する場合、例えば、図３ａに示されるように、アルバムを閲覧する場合、アルバムにおけるある写真を長押しすると、モバイル端末はコマンドを受けてコピー、ロック又はロック解除オプション、或いは他の機能オプションを出力する。ユーザは必要に応じて該機能オプションをクリックすることによって、写真に対して設定を行うことができる。
【００７１】
ステップＳ３０２において、現在ユーザの指紋情報を取得する。
【００７２】
即ち、ロックコマンドを入力したユーザの指紋情報を取得する。
【００７３】
ステップＳ３０３において、ロックコマンドに基づいて、取得された現在ユーザの指紋情報を用いて、第１の所定ファイルをロックする。
【００７４】
第１の所定ファイルをロックした後、該第１の所定ファイルはロック状態になる。ロック状態は隠し不可視状態、修正禁止状態、削除禁止状態または閲覧禁止状態を含む。
【００７５】
ファイルがロックされた後、ユーザが行う他の操作は前記ステップＳ２０３〜Ｓ２０６及び／又はＳ２０７〜Ｓ２１０と同じであるので、詳細な説明を省略する。
【００７６】
ここで次のことを説明しておく：本実施例において、指紋情報で第１の所定ファイルをロックすることを例として説明を行ったが、他の実施例において、他の生体認識情報、例えば、声紋情報、虹彩情報又は顔情報等で、第１の所定ファイルをロックすることもできる。
【００７７】
本開示の実施例において、ユーザの生体認識情報を用いて所定ファイル（既に保存されているファイル）をロックすることによって、該ユーザ以外のユーザは、ロックされた所定ファイルに対する操作、例えば、レビュー、修正等を行うことができない。さらに、効果的に現在ユーザのプライバシーを保護でき、ユーザ体験を向上できる。且つ、ユーザは必要に応じてファイルを選択してロックを行うことができ、使用し易い。
【００７８】
図４は例示的な実施例におけるファイルロック方法を示すフローチャートである。図４に示すファイルロック方法は図２に示すロック方法とほぼ同じであるが、相違点が、図４に示すファイルロック方法において、生体認識情報として声紋情報を用いることにある。且つ、第１の所定ファイルが撮影し得ようとするファイルであることを例として詳細に説明する。該ファイルロック方法は端末に適用されている。図４を参照して、該方法は以下のステップを含む。
【００７９】
ステップＳ４０１において、第１の所定ファイルを撮影するときに、現在ユーザの声紋情報を採集する。
【００８０】
本実施例の一実施の形態において、図４ａに示すように該ステップＳ４０１は以下のステップを含む。
【００８１】
ステップＳ４０１１において、マイクロホンで現在ユーザの音声信号を採集する。
【００８２】
ステップＳ４０１２において、音声信号を認識して、第１の所定ファイルを撮影することを指示するための、現在ユーザが入力した第１の撮影コマンドを得る。第１の所定ファイルは画像又は映像フォーマットであって良い。
【００８３】
ステップＳ４０１３において、音声信号から現在ユーザの声紋情報を抽出する。
【００８４】
ここで、音声信号から抽出された現在ユーザの声紋情報は生体認識情報としてモバイル端末内に記憶され、ファイルをレビュー・閲覧する、又はロック解除するときの照合に用いられる。
【００８５】
図４ｂは当該ステップの実際的な応用状況を示す。図４ｂに示すように、モバイル端末内の撮影モジュールが起動すると、モバイル端末は音響制御シャッターオプション２を出力し、現在ユーザはタッチパネルを介して音響制御シャッターオプション２をクリックし「撮影する」と発言すると、モバイル端末はマイクロホンを介して該音声信号を受信し、解析認識して第１の撮影コマンドを得て、写真又は映像を撮影する。これと同時に、モバイル端末は該音声信号を受信すると共に、その中から現在ユーザの声紋情報を抽出する。
【００８６】
ステップＳ４０２において、撮影された第１の所定ファイルを記憶する場合、現在ユーザの声紋情報を用いて第１の所定ファイルをロックする。
【００８７】
写真の撮影または映像の制作が終了した後、写真又は映像を記憶する場合、現在ユーザの声紋情報を用いて写真又は映像をロックする。その後のステップにおいて、該声紋情報を用いて第１の所定ファイルをロックし、後続のステップのファイルレビュー及びロック解除の方法過程は夫々前記ステップＳ２０３〜Ｓ２０６及びＳ２０７〜Ｓ２１０とほぼ同じであるので、ここに再度説明しない。
【００８８】
本開示の実施例において、ユーザの生体認識情報を用いて所定ファイルをロックすることによって、現在ユーザ以外のユーザは、ロックされた所定ファイルに対する操作、例えば、レビュー、修正等を行うことができない。これにより、効果的に現在ユーザのプライバシーを保護でき、ユーザ体験を向上できる。且つ、ユーザは必要に応じてファイルを選択してロックを行うことができ、使用し易い。なお、本開示の実施例において、第２の所定ファイル又は所定フォルダーをレビュー・閲覧する方法、及び第２の所定ファイル又は所定フォルダーをロック解除する方法は提供した。これにより、該ファイルロック方法の付加機能がより完備され、ユーザ体験を向上できる。
【００８９】
図５は例示的な実施例におけるファイルロック方法を示すフローチャートである。図５に示すファイルロック方法は、図２に示すファイルロック方法とほぼ同じであり、相違点が、図５に示す実施例において、生体認識情報として顔情報又は虹彩情報を用いたことである。第１の所定ファイルが撮影し得ようとするファイルであることを例として詳細に説明する。図５を参照して、該方法は以下のステップを含む。
【００９０】
ステップＳ５０１において、第１の所定ファイルを撮影するときに、現在ユーザの顔情報又は虹彩情報を採集する。
【００９１】
本実施例の一実施の形態において、図５ａに示すように、該ステップＳ５０１は以下のステップを含む。
【００９２】
ステップＳ５０１１において、モバイル端末のリアーカメラを介して第１の所定ファイルを撮影することを指示するための現在ユーザが入力した第２の撮影コマンドを受ける。該第１の所定ファイルは写真又は映像フォーマットである。
【００９３】
ステップＳ５０１２において、モバイル端末のフロントカメラを介して現在ユーザの顔情報又は虹彩情報を取得する。
【００９４】
図５ｂは該ステップの実際的な応用状況を示す。図５ｂに示すように、モバイル端末内の撮影モジュールが起動すると、モバイル端末は第３の撮影シャッターオプション３を出力する。ユーザはタッチパネルを介して該第３の撮影シャッターオプション３をクリックすると、モバイル端末は現在ユーザが入力した第２の撮影コマンドを受けて、リアーカメラを起動させて第１の所定ファイルを撮影する。これと同時に、モバイル端末はさらにフロントカメラを起動させて現在ユーザの顔情報又は虹彩情報を撮影して取得する。
【００９５】
ステップＳ５０２において、撮影された第１の所定ファイルを記憶する場合、現在ユーザの虹彩情報又は顔情報を用いて、第１の所定ファイルをロックする。
【００９６】
写真の撮影又は映像の制作が終了した後、写真又は映像を記憶する時、現在ユーザの虹彩情報又は顔情報を用いて写真又は映像をロックする。後続のステップのファイルレビューとロック解除の方法過程は夫々前記ステップＳ２０３〜Ｓ２０６及びＳ２０７〜Ｓ２１０とほぼ同じであるので、ここに再度説明しない。
【００９７】
本開示の実施例において、ユーザの生体認識情報を用いて所定ファイルをロックすることによって、現在ユーザ以外のユーザはロックされた所定ファイルに対する操作、例えば、レビュー、修正等を行うことができない。これにより、効果的に現在ユーザのプライバシーを保護でき、ユーザ体験を向上できる。且つ、ユーザは必要に応じてファイルを選択してロックを行うことができ、使用し易い。なお、本開示の実施例において、第２の所定ファイル又は所定フォルダーをレビュー・閲覧する方法、及び第２の所定ファイル又は所定フォルダーをロック解除する方法を提供した。これにより、該ファイルロック方法の付加機能がより完備され、ユーザ体験を向上できる。
【００９８】
本開示の実施例において、ユーザの生体認識情報を用いて所定ファイルをロックすることによって、該ユーザ以外のユーザはロックされた所定ファイルに対する操作、例えば、レビュー、修正等を行うことができない。これにより、効果的に現在ユーザのプライバシーを保護でき、ユーザ体験を向上できる。且つ、ユーザは必要に応じてファイルを選択してロックを行うことができ、使用し易い。
【００９９】
図６は例示的な実施例におけるファイルロック装置を示すブロック図である。該装置はスマートフォン、タブレットＰＣ等のモバイル端末であって良い。図６を参照して、該装置は第１の取得モジュール６０１とロックモジュール６０２とを含む。
【０１００】
該第１の取得モジュール６０１は、現在ユーザの、指紋情報、声紋情報、虹彩情報と顔情報を含む生体認識情報を取得するように構成されている。
【０１０１】
該ロックモジュール６０２は、第１の取得モジュール６０１が取得した現在ユーザの生体認識情報を用いて第１の所定ファイルをロックするように構成されている。
【０１０２】
該第１の所定ファイルは写真又は映像であって良い、他のタイプのファイル、例えば、テキスト情報等であって良い。本開示はこれについて限定しない。
【０１０３】
実際的な応用状況において、現在ユーザは、モバイル端末内のあるファイル、例えば、写真又は映像等について、自分しか閲覧できず、他のユーザのいずれも閲覧できないように要求している。したがって、現在ユーザは写真又は映像等の第１の所定ファイルをロックすることによって、現在ユーザのプライバシーを保護する。生体認識情報が唯一性を有するため、本実施例のファイルロック装置は効果的に第１の所定ファイルをロックでき、現在ユーザのプライバシーを保護できる。
【０１０４】
本開示の実施例において、ユーザの生体認識情報を用いて所定ファイルをロックすることによって、現在ユーザ以外のユーザはロックされた所定ファイルに対する操作、例えば、レビュー、修正等を行うことができない。これにより、効果的に現在ユーザのプライバシーを保護でき、ユーザ体験を向上できる。且つ、ユーザは必要に応じてファイルを選択してロックを行うことができ、使用し易い。
【０１０５】
図７は例示的な実施例におけるファイルロック装置を示すブロック図である。図７に示す実施例において、生体認識情報として指紋情報を用い、且つ、第１の所定ファイルが撮影し得ようとするファイルであることを例として、本開示の実施例を詳細に説明する。図７に示すように、該装置は第１の取得モジュール７０１とロックモジュール７０２とを含む。
【０１０６】
該第１の取得モジュール７０１は、現在ユーザの指紋情報を取得するように構成されている。該ロックモジュール７０２は第１の取得モジュール７０１が取得した現在ユーザの指紋情報を用いて、第１の所定ファイルをロックするように構成されている。
【０１０７】
ここで、第１の取得モジュール７０１は、採集サブモジュール７０１ａを備える。該採集サブモジュール７０１ａは、第１の所定ファイルを撮影するときに、現在ユーザの指紋情報を採集するように構成されている。
【０１０８】
本実施例の一実施の形態において、生体認識情報が指紋情報である場合、採集サブモジュール７０１ａは第１の受信手段７０１１と第１の採集手段７０１２とを備える。第１の受信手段７０１１は、タッチパネルを介して第１の所定ファイルを撮影することを指示するための現在ユーザが入力した第１の撮影コマンドを受けるように構成されている。該第１の所定ファイルは、写真又は映像フォーマットであって良い。第１の採集手段７０１２は、タッチパネルを介して現在ユーザが入力した第１の撮影コマンドを撮影するときの指紋情報を採集するように構成されている。該第１の撮影コマンドは第１の所定ファイルを撮影することを指示するために用いられる。
【０１０９】
さらに、ロックモジュール７０２は、第１のロック手段７０２１を備える。第１のロック手段７０２１は、撮影された第１の所定ファイルを記憶する場合、現在ユーザの指紋情報を用いて前記第１の所定ファイルをロックするように構成されている。
【０１１０】
第１の所定ファイルをロックした後、該第１の所定ファイルはロック状態になる。ロック状態は隠し不可視状態、修正禁止状態、削除禁止状態又は閲覧禁止状態を含む。
【０１１１】
なお、該装置のロック状態のファイルをレビュー・閲覧する機能を果たすために、該装置はさらに第１の受信モジュール７０３、第２の取得モジュール７０４、第１の判定モジュール７０５及び表示モジュール７０６を備える。
【０１１２】
該第１の受信モジュール７０３は、ユーザが入力したファイルレビューコマンドを受けるように構成され、ファイルレビューコマンドは第２の所定ファイル又は所定フォルダーをレビューすることを指示するために用いられ、第２の所定ファイルはロック状態のファイルであり、所定フォルダーはロック状態のファイルを含むフォルダーである。
【０１１３】
該第２の取得モジュール７０４は、ファイルレビューコマンドを入力したユーザの指紋情報を取得するように構成されている。
【０１１４】
該第１の判定モジュール７０５は、第２の取得モジュール７０４が取得した指紋情報が、第２の所定ファイルをロックする際に用いられる指紋情報と同一であるか否かを判定するように構成されている。
【０１１５】
該表示モジュール７０６は、第２の取得モジュール７０４の取得した指紋情報が、ロック状態のファイルをロックする際に用いられる指紋情報と同一であると判定される場合、ロック状態のファイルを表示し、第２の取得モジュール７０４の取得した指紋情報が、ロック状態のファイルをロックする際に用いられる指紋情報と異なると判定される場合、ロック状態のファイルの内容を表示しないように構成されている。
【０１１６】
本開示の実施例において、ユーザが生体認識情報を用いてファイルをロックする機能を起動させるか否かを設定するための機能オプションスイッチを設置してもよい。
【０１１７】
さらに、該装置の、ロック状態のファイルをロック解除する機能を果たすために、該装置は、さらに第２の受信モジュール７０７、第３の取得モジュール７０８、第２の判定モジュール７０９とロック解除モジュール７１０を備える。
【０１１８】
該第２の受信モジュール７０７は、ユーザが入力したファイルロック解除コマンドを受けるように構成されており、ファイルロック解除コマンドは第２の所定ファイル又は所定フォルダーのロック状態を解除するために用いられ、第２の所定ファイルはロック状態のファイルであり、所定フォルダーはロック状態のファイルを含むフォルダーである。
【０１１９】
該第３の取得モジュール７０８は、ファイルロック解除コマンドを入力したユーザの指紋情報を取得するように構成されている。
【０１２０】
該第２の判定モジュール７０９は、第３の取得モジュール７０８の取得したユーザの指紋情報が、ファイルロック解除コマンドに対応するロック状態のファイルをロックする際に用いられる指紋情報と同一であるか否かを判定するように構成されている。
【０１２１】
該ロック解除モジュール７１０は、第３の取得モジュール７０８の取得したユーザの指紋情報が、ロック状態のファイルをロックする際に用いられる指紋情報と同一であると判定される場合、ロック状態のファイルをロック解除するように構成されている。
【０１２２】
容易に分かるように、ファイルロック解除コマンドを入力したユーザの指紋情報が、ロック状態のファイルをロックする際に用いられる指紋情報と異なると判定される場合、ロック解除操作を実行しない。これと同時に、案内情報、例えば、指紋情報不一致等を出力しても良い。
【０１２３】
ロック状態のファイル、例えば、ロック状態にある写真又は映像をロック解除した後、該写真又は映像が公開状態になる。他のユーザはクリックして写真又は映像の管理フォルダーに入ると、指紋情報の検証を必要とせずに、写真又は映像を閲覧できる。
【０１２４】
本開示の実施例において、ユーザの生体認識情報を用いて所定ファイルをロックすることによって、現在ユーザ以外のユーザはロックされた所定ファイルに対する操作、例えば、レビュー、修正等を行うことができない。これにより、効果的に現在ユーザのプライバシーを保護でき、ユーザ体験を向上できる。且つ、ユーザは必要に応じてファイルを選択してロックを行うことができ、使用し易い。なお、本開示の実施例において、第２の所定ファイル又は所定フォルダーをレビュー・閲覧する方法、及び第２の所定ファイル又は所定フォルダーをロック解除する方法を提供した。これにより、該ファイルロック方法の付加機能がより完備され、ユーザ体験を向上できる。
【０１２５】
図８は、例示的な実施例におけるファイルロック装置を示すブロック図である。該装置は、指紋情報を用いてモバイル端末内に既に保存されているファイルをロックすることができる。該装置は、第１の取得モジュール８０１と、ロックモジュール８０２とを備える。該第１の取得モジュール８０１は、現在ユーザの指紋情報、声紋情報、虹彩情報と顔情報を含む生体認識情報を取得するように構成されている。該ロックモジュール８０２は、第１の取得モジュール８０１の取得した現在ユーザの生体認識情報を用いて、第１の所定ファイルをロックするように構成されている。
【０１２６】
さらに、ロックモジュール８０２は第３の受信手段８０２１と第２のロック手段８０２２とを備える。
【０１２７】
第３の受信手段８０２１は、既に保存されている第１の所定ファイルをロックすることを指示するための現在ユーザが入力したロックコマンドを受けるように構成されている。
【０１２８】
実際的な応用状況において、該ロックコマンドは長押しコマンドであって良い。モバイル端末はファイルに対応する領域のタッチ時間を検出することによって、ロックコマンドを受けたか否かを判定し、該ロックコマンドを受けたと判定される場合、該ロックコマンドに対応する第１の所定ファイルをロックする。
【０１２９】
ユーザがモバイル端末に既に保存されているファイル、例えば、アルバムを閲覧する場合、アルバムのある写真を長押しすると、モバイル端末がコマンドを受けてコピー、ロック、又はロック解除オプション、或いは他の機能オプションを出力し、ユーザが必要に応じて該機能オプションをクリックして写真に対し設定を行う。
【０１３０】
第２のロック手段８０２２は、ロックコマンドに応じて現在ユーザの生体認識情報を用いて第１の所定ファイルをロックするように構成されている。
【０１３１】
第１の所定ファイルをロックした後、該第１の所定ファイルがロック状態になる。ロック状態は隠し不可視状態、修正禁止状態、削除禁止状態又は閲覧禁止状態を含む。
【０１３２】
本開示の実施例において、ユーザの生体認識情報を用いて所定ファイルをロックすることによって、現在ユーザ以外のユーザはロックされた所定ファイルに対する操作、例えば、レビュー、修正等を行うことができない。これにより、効果的に現在ユーザのプライバシーを保護でき、ユーザ体験を向上できる。且つ、ユーザは必要に応じてファイルを選択してロックを行うことができ、使用し易い。
【０１３３】
図９は、例示的な実施例におけるファイルロック装置を示すブロック図である。図９に示すファイルロック装置は図７に示すロック装置とほぼ同じであり、相違点が、図９に示す実施例において、生体認識情報として声紋情報を用いていることである。第１の所定ファイルが撮影し得ようとするファイルであることを例として詳細に説明する。
【０１３４】
図９を参照して、該装置は第１の取得モジュール９０１とロックモジュール９０２とを備える。該第１の取得モジュール９０１は、現在ユーザの声紋情報を取得するように構成されている。ロックモジュール９０２は、第１の取得モジュール９０１の取得した現在ユーザの声紋情報を用いて、第１の所定ファイルをロックするように構成されている。
【０１３５】
ここで、該第１の取得モジュールは、採集サブモジュール９０１ａを備える。採集サブモジュール９０１ａは第１の所定ファイルを撮影するときに現在ユーザの声紋情報を採集するように構成されている。
【０１３６】
さらに、採集サブモジュール９０１ａは第２の採集手段９０１１、認識手段９０１２及び抽出手段９０１３を備える。
【０１３７】
第２の採集手段９０１１は、マイクロホンを介して現在ユーザの音声信号を採集するように構成されている。
【０１３８】
認識手段９０１２は、音声信号を認識することによって、第１の所定ファイルを撮影することを指示するための現在ユーザが入力した第１の撮影コマンドを得るように構成されている。
【０１３９】
抽出手段９０１３は、音声信号から現在ユーザの声紋情報を抽出するように構成されている。
【０１４０】
ここで、音声信号から抽出された現在ユーザの声紋情報は生体認識情報としてモバイル端末内に記憶され、ファイルレビューを閲覧又はロック解除するときの照合に用いられる。
【０１４１】
写真の撮影又は映像の制作が終了した後、写真又は映像を記憶する場合、現在ユーザの声紋情報を用いて写真又は映像をロックする。この後のステップにおいて、該声紋情報を用いて第１の所定ファイルをロックする。ファイルレビューの閲覧及びロック解除に用いられるその他の機能モジュールは、図７に示す実施例とほぼ同じであるので、ここに再度説明しない。
【０１４２】
本開示の実施例において、ユーザの生体認識情報を用いて所定ファイルをロックすることによって、現在ユーザ以外のユーザはロックされた所定ファイルに対する操作、例えば、レビュー、修正等を行うことができない。これにより、効果的に現在ユーザのプライバシーを保護でき、ユーザ体験を向上できる。且つ、ユーザは必要に応じてファイルを選択してロックを行うことができ、使用し易い。なお、本開示の実施例において、第２の所定ファイル又は所定フォルダーをレビュー・閲覧する方法、及び第２の所定ファイル又は所定フォルダーをロック解除する方法を提供した。これにより、該ファイルロック方法の付加機能がより完備され、ユーザ体験を向上できる。
【０１４３】
図１０は例示的な実施例におけるファイルロック装置を示すブロック図である。図１０に示すファイルロック装置は、図７に示すファイルロック装置とほぼ同じであり、相違点が、図１０に示す実施例において、生体認識情報として顔情報又は虹彩情報を用いたことである。第１の所定ファイルが撮影し得ようとするファイルであることを例として詳細に説明する。
【０１４４】
図１０を参照して、該装置は第１の取得モジュール１００１を備える。該第１の取得モジュール１００１は、現在ユーザの虹彩情報又は顔情報を取得するように構成されている。ロックモジュール１００２は、第１の取得モジュール１００１の取得した現在ユーザの虹彩情報又は顔情報を用いて第１の所定ファイルをロックするように構成されている。
【０１４５】
該取得モジュール１００１は、採集サブモジュール１００１ａを備える。採集サブモジュール１００１ａは第１の所定ファイルを撮影するときに現在ユーザの顔情報又は虹彩情報を採集するように構成されている。
【０１４６】
さらに、採集サブモジュール１００１ａは第２の受信手段１０１１と第２の取得手段１０１２を備える。
【０１４７】
該第２の受信手段１０１１は、モバイル端末のリアーカメラを介して第１の所定ファイルを撮影するための現在ユーザが入力した第２の撮影コマンドを受けるように、構成されている。該第１の所定ファイルは写真又は映像であって良い。
【０１４８】
該第２の取得手段１０１２は、モバイル端末のフロントカメラを介して現在ユーザの顔情報又は虹彩情報を取得するように構成されている。
【０１４９】
写真の撮影又は映像の制作が終了した後、写真又は映像を記憶する場合、現在ユーザの顔情報又は虹彩情報を用いて写真又は映像をロックする。ファイルレビュー及びロック解除のその他の構造機能モジュールは、図７に示す実施例とほぼ同じであるので、ここに再度説明しない。
【０１５０】
本開示の実施例において、ユーザの生体認識情報を用いて所定ファイルをロックすることによって、現在ユーザ以外のユーザはロックされた所定ファイルに対する操作、例えば、レビュー、修正等を行うことができない。これにより、効果的に現在ユーザのプライバシーを保護でき、ユーザ体験を向上できる。且つ、ユーザは必要に応じてファイルを選択してロックを行うことができ、使用し易い。なお、本開示の実施例において、第２の所定ファイル又は所定フォルダーをレビュー・閲覧する方法、及び第２の所定ファイル又は所定フォルダーをロック解除する方法を提供した。これにより、該ファイルロック方法の付加機能がより完備され、ユーザ体験を向上できる。
【０１５１】
図１１は例示的な実施例におけるファイルロック装置を示すブロック図である。例えば、装置１１００は携帯電話、コンピュータ、デジタル放送端末、メッセージ受発信デバイス、ゲームコンソール、タブレットデバイス、医療機器、フィットネス機器、パーソナルデジタルアシスタント等であってもよい。
【０１５２】
図１１を参照して、装置１１００は、プロセッサアセンブリ１１０２、メモリ１１０４、電源アセンブリ１１０６、マルチメディアアセンブリ１１０８、オーディオアセンブリ１１１０、インターフェース（Ｉ／Ｏ）インターフェイス１１１２、センサアセンブリ１１１４、及び通信アセンブリ１１１６のような一つ以上のアセンブリを含んでよい。
【０１５３】
プロセッサアセンブリ１１０２は、一般的には装置１１００の全体の操作を制御するものであり、例えば、表示、電話呼び出し、データ通信、カメラ操作、及び記録操作と関連する操作を制御する。プロセッサアセンブリ１１０２は、一つ以上のプロセッサ１１２０を含み、これらによって命令を実行することにより、上記の方法の全部、或は一部のステップを実現するようにしてもよい。なお、プロセッサアセンブリ１１０２は、一つ以上のモジュールを含み、これらによってプロセッサアセンブリ１１０２と他のアセンブリの間のインタラクションを容易にするようにしてもよい。例えば、プロセッサアセンブリ１１０２は、マルチメディアモジュールを含み、これらによってマルチメディアアセンブリ１１０８とプロセッサアセンブリ１１０２の間のインタラクションを容易にするようにしてもよい。
【０１５４】
メモリ１１０４は、各種類のデータを記憶することにより装置１１００の操作を支援するように構成される。これらのデータの例は、装置１１００において操作されるいずれのアプリケーションプログラム又は方法の命令、連絡対象データ、電話帳データ、メッセージ、画像、ビデオ等を含む。メモリ１１０４は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｏｒｙ）、磁気メモリ、フラッシュメモリ、磁気ディスク、或いは光ディスクである。
【０１５５】
電源アセンブリ１１０６は、装置１１００の多様なアセンブリに電力を供給する。電源アセンブリ１１０６は、電源管理システム、一つ以上の電源、及び装置１１００のための電力の生成、管理及び割り当てに関連する他のアセンブリを含んでもよい。
【０１５６】
マルチメディアアセンブリ１１０８は、前記装置１１００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記のタッチ、或はスライド操作に係る継続時間及び圧力も検出できる。上記の実施例において、マルチメディアアセンブリ１１０８は、一つのフロントカメラ、及び／又はリアーカメラを含む。装置１１００が、例えば撮影モード、或はビデオモード等の操作モードにある場合、フロントカメラ、及び／又はリアーカメラは外部からマルチメディアデータを受信できる。フロントカメラとリアーカメラのそれぞれは、一つの固定型の光レンズ系、或は可変焦点距離と光学ズーム機能を有するものであってもよい。
【０１５７】
オーディオアセンブリ１１１０は、オーディオ信号をインターフェースするように構成されてもよい。例えば、オーディオアセンブリ１１１０は、一つのマイク（ＭＩＣ）を含み、装置１１００、例えば呼出しモード、記録モード、及び音声認識モード等の操作モードにある場合、マイクは外部のオーディオ信号を受信することができる。受信されたオーディオ信号は、さらにメモリ１１０４に記憶されたり、通信アセンブリ１１１６を介して送信されたりされる。上記の実施例において、オーディオアセンブリ１１１０は、オーディオ信号を出力するための一つのスピーカーをさらに含む。
【０１５８】
Ｉ／Ｏインターフェイス１１１２は、プロセッサアセンブリ１１０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【０１５９】
センサアセンブリ１１１４は、装置１１００に各方面の状態に対する評価を提供するための一つ以上のセンサを含む。例えば、センサアセンブリ１１１４は、装置１１００のＯＮ／ＯＦＦ状態、装置１１００のディスプレイとキーパッドのようなアセンブリの相対的な位置決めを検出できる。また、例えば、センサアセンブリ１１１４は、装置１１００、或は装置１１００の一つのアセンブリの位置変更、ユーザと装置１１００とが接触しているか否か、装置１１００の方位、又は加速／減速、装置１１００の温度の変化を検出できる。センサアセンブリ１１１４は、何れの物理的接触がない状態にて付近の物体の存在を検出するための近接センサを含んでもよい。センサアセンブリ１１１４は、撮影アプリケーションに適用するため、ＣＭＯＳ、又はＣＣＤ画像センサのような光センサを含んでもよい。上記の実施例において、当該センサアセンブリ１１１４は、加速度センサ、ジャイロスコープセンサ、磁気センサ、圧力センサ、及び温度センサをさらに含んでもよい。
【０１６０】
通信アセンブリ１１１６は、装置１１００と他の機器の間に有線、又は無線形態の通信を提供する。装置１１００は、例えばＷｉＦｉ、２Ｇ、３Ｇ、或はこれらの組み合わせのような、通信規格に基づいた無線ネットワークに接続されてもよい。一つの例示的な実施例において、通信アセンブリ１１１６は、放送チャンネルを介して外部の放送管理システムからの放送信号、又は放送に関連する情報を受信する。一つの例示的な実施例において、前記通信アセンブリ１１１６は、近距離無線通信（ＮＦＣ）モジュールをさらに含むことにより、近距離通信を推進するようにする。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ（登録商標））技術、他の技術に基づいて実現できる。
【０１６１】
例示的な実施例において、装置１１００は、一つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記方法を実行する。
【０１６２】
例示的な実施例において、さらに、命令を含む非一時的なコンピュータで読み取り可能な記憶媒体、例えば命令を含むメモリ１１０４を提供しており、装置１１００のプロセッサ１１２０により上記命令を実行して上記方法を実現する。例えば、前記非一時的なコンピュータで読み取り可能な記憶媒体は、ＲＯＭ、ＲＡＭ（Ｒａｎｄｏｍ−Ａｃｃｅｓｓ  Ｍｅｍｏｒｙ）、ＣＤ−ＲＯＭ（Ｃｏｍｐａｃｔ  Ｄｉｓｃ  ＲＯＭ）、磁気テープ、フロッピー（登録商標）ディスク、光データ記憶デバイス等である。
【０１６３】
非一時的なコンピュータで読み取り可能な記憶媒体は、当該記録媒体のコマンドがモバイル端末のプロセッサによって実行される際に、モバイル端末にファイルロック方法を実行させることができる。前記方法は、
現在ユーザの、指紋情報、声紋情報、虹彩情報又は顔情報を含む生体認識情報を取得するステップと、
現在ユーザの生体認識情報を用いて第１の所定ファイルをロックするステップと、を含む。
【０１６４】
図１２は例示的な実施例におけるファイルロック装置１２００を示すブロック図である。例えば、装置１２００としてサーバが提供され得る。図１２を参照して、装置１２００は１つ又は複数のプロセッサを含むプロセッサアセンブリ１２２２と、メモリ１２３２が代表となり、例えばアプリケーションなどのプロセッサアセンブリ１２２２により実行可能な各種コマンドを記憶する記憶媒体ソースと、を備える。メモリ１２３２内に記憶されたアプリケーションは、１つ又は１つ以上のモジュールを含み、当該１つ又は１つ以上のモジュールは、それぞれ１組のコマンドに対応する。また、プロセッサアセンブリ１２２２は、コマンドを実行するように構成され、これにより、上記ロック方法を実行する。
【０１６５】
装置１２００は、さらに、装置１２００の給電管理を行うための電源アセンブリ１２２６と、装置１２００とネットワークと接続するための有線又は無線のネットワークインターフェース１２５０と、入出力（Ｉ／Ｏ）インターフェース１２５８とを備える。装置１２００は、例えば、Ｗｉｎｄｏｗｓ  Ｓｅｒｖｅｒ（登録商標），Ｍａｃ  ＯＳ  Ｘ（登録商標），Ｕｎｉｘ（登録商標），Ｌｉｎｕｘ（登録商標），ＦｒｅｅＢＳＤ（登録商標）などの、メモリ１２３２に記憶された操作システムにおいて操作を行うことができる。
【０１６６】
当業者は、本明細書に開示された発明の詳細を考慮し、実施することにより、本発明の他の実施方案を容易に想定することができる。本出願は、本発明のいかなる変形、用途、又は適応的な変化を含むことを目的としており、いかなる変形、用途、又は適応的な変化は、本発明の一般原理に基づいて、且つ本開示において公開されていない本技術分野においての公知常識又は慣用技術手段を含む。明細書及び実施例は、例示的なものを開示しており、本発明の保護範囲と主旨は、特許請求の範囲に記述される。
【０１６７】
本発明は、上記において開示された構成又は図面に示した構造に限定されるものではなく、本発明の範囲内であれば、様々な補正又は変更を行うことができる。本発明の範囲は、特許請求の範囲により制限される。
【図１】
0006360558.tif 000002
【図２】
0006360558.tif 000003
【図２ａ】
0006360558.tif 000004
【図２ｂ】
0006360558.tif 000005
【図２ｃ】
0006360558.tif 000006
【図２ｄ】
0006360558.tif 000007
【図３】
0006360558.tif 000008
【図３ａ】
0006360558.tif 000009
【図４】
0006360558.tif 000010
【図４ａ】
0006360558.tif 000011
【図４ｂ】
0006360558.tif 000012
【図５】
0006360558.tif 000013
【図５ａ】
0006360558.tif 000014
【図５ｂ】
0006360558.tif 000015
【図６】
0006360558.tif 000016
【図７】
0006360558.tif 000017
【図８】
0006360558.tif 000018
【図９】
0006360558.tif 000019
【図１０】
0006360558.tif 000020
【図１１】
0006360558.tif 000021
【図１２】
0006360558.tif 000022